(57)【要約】【課題】ユーザがアイコン画像を閲覧しにくくなることを防止することが可能な地図情報生成装置を提供すること。【解決手段】この装置２００は、位置を表す位置情報と、コンテンツを表すコンテンツ情報と、を対応付けて格納する（２０３）。装置２００は、位置情報を含む地図情報要求を受け付ける（２０４）。装置２００は、受け付けられた位置情報が表す位置を含む所定の表示領域内の位置を表す位置情報と対応付けられたコンテンツ情報を抽出する。装置２００は、抽出したコンテンツ情報のうちの、所定の判定領域内の位置を表す位置情報と対応付けられたコンテンツ情報の数が閾値数よりも大きいと判定した場合に、抽出したコンテンツ情報から判定領域内の位置を表す位置情報と対応付けられたコンテンツ情報を少なくとも１つ除いた残余のコンテンツ情報を表示させるための情報として選択する（２０７）。【選択図】図１
2010015013.tif 000002
【特許請求の範囲】
【請求項１】
位置を表す位置情報と、コンテンツを表すコンテンツ情報と、を対応付けて格納するコンテンツ格納手段と、
位置情報を含む地図情報要求を受け付ける地図情報要求受付手段と、
前記受け付けられた位置情報が表す位置を含む所定の表示領域内の位置を表す位置情報と対応付けられた前記コンテンツ情報を抽出し、当該抽出したコンテンツ情報のうちの、前記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
前記表示領域内の地図上の、前記選択されたコンテンツ情報と対応付けられた位置情報が表す位置に、当該コンテンツ情報を表すアイコン画像を配置した表示用画像を表す地図情報を生成する地図情報生成手段と、
を備える地図情報生成装置。
【請求項２】
請求項１に記載の地図情報生成装置であって、
前記コンテンツ選択手段は、前記判定領域内に配置された複数のアイコン画像が互いに重なる場合に、前記抽出したコンテンツ情報のうちの、前記判定領域内の位置を表す位置情報と対応付けられたコンテンツ情報の数が前記閾値数よりも大きいと判定するように構成された地図情報生成装置。
【請求項３】
請求項１又は請求項２に記載の地図情報生成装置であって、
前記コンテンツ選択手段は、前記選択されるコンテンツ情報が、前記判定領域内の位置を表す位置情報と対応付けられたコンテンツ情報を前記閾値数以下の数だけ含むように構成された地図情報生成装置。
【請求項４】
請求項１乃至請求項３のいずれか一項に記載の地図情報生成装置であって、
前記コンテンツ選択手段は、前記抽出したコンテンツ情報のうちの、前記判定領域内の位置を表す位置情報と対応付けられたコンテンツ情報の数が前記閾値数以下であると判定した場合に、当該抽出したコンテンツ情報のすべてを選択するように構成された地図情報生成装置。
【請求項５】
請求項１乃至請求項４のいずれか一項に記載の地図情報生成装置であって、
前記コンテンツ選択手段は、予め設定された最大表示数以下の数だけ前記コンテンツ情報を選択するように構成された地図情報生成装置。
【請求項６】
請求項１乃至請求項５のいずれか一項に記載の地図情報生成装置であって、
前記コンテンツ選択手段は、前記コンテンツ情報に対応付けられた第１の優先度基礎情報に基づいて、前記抽出したコンテンツ情報のそれぞれに対する優先度を算出し、当該算出した優先度が高いコンテンツ情報を当該算出した優先度が低いコンテンツ情報に優先して選択するように構成された地図情報生成装置。
【請求項７】
請求項６に記載の地図情報生成装置であって、
前記コンテンツ選択手段は、前記第１の優先度基礎情報と、前記地図情報要求に対応付けられた第２の優先度基礎情報と、に基づいて前記優先度を算出するように構成された地図情報生成装置。
【請求項８】
請求項７に記載の地図情報生成装置であって、
コンテンツ情報と位置情報とを含むコンテンツ登録要求を受け付けるコンテンツ登録要求受付手段と、
コンテンツ登録要求を受け付けた時刻を表す登録要求時刻情報を前記第１の優先度基礎情報として取得する登録要求時刻情報取得手段と、
前記地図情報要求を受け付けた時刻を表す地図要求時刻情報を前記第２の優先度基礎情報として取得する地図要求時刻情報取得手段と、
を備え、
前記コンテンツ格納手段は、前記受け付けたコンテンツ登録要求に含まれる位置情報及びコンテンツ情報と、前記取得された登録時刻情報と、を対応付けて格納するように構成され、
前記コンテンツ選択手段は、前記コンテンツ情報と対応付けられた登録要求時刻情報が表す時刻と、前記取得された地図要求時刻情報が表す時刻と、が近くなるほど、当該コンテンツ情報に対して算出される優先度を高くするように構成された地図情報生成装置。
【請求項９】
請求項７に記載の地図情報生成装置であって、
ユーザを識別するユーザ識別子と、そのユーザの属性を表す属性情報と、を対応付けて格納する属性情報格納手段と、
コンテンツ情報と位置情報とユーザ識別子とを含むコンテンツ登録要求を受け付けるコンテンツ登録要求受付手段と、
を備え、
前記地図情報要求は、ユーザ識別子を含み、
前記コンテンツ格納手段は、前記受け付けられたコンテンツ登録要求に含まれる位置情報、コンテンツ情報及びユーザ識別子を対応付けて格納するように構成され、
前記コンテンツ選択手段は、前記コンテンツ情報と対応付けられたユーザ識別子と対応付けられた前記第１の優先度基礎情報としての属性情報と、前記地図情報要求に含まれるユーザ識別子と対応付けられた前記第２の優先度基礎情報としての属性情報と、が類似している程度が高くなるほど、当該コンテンツ情報に対して算出される優先度を高くするように構成された地図情報生成装置。
【請求項１０】
位置を表す位置情報と、コンテンツを表すコンテンツ情報と、を対応付けて格納するコンテンツ格納工程と、
位置情報を含む地図情報要求を受け付ける地図情報要求受付工程と、
前記受け付けられた位置情報が表す位置を含む所定の表示領域内の位置を表す位置情報と対応付けられた前記コンテンツ情報を抽出し、当該抽出したコンテンツ情報のうちの、前記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択工程と、
前記表示領域内の地図上の、前記選択されたコンテンツ情報と対応付けられた位置情報が表す位置に、当該コンテンツ情報を表すアイコン画像を配置した表示用画像を表す地図情報を生成する地図情報生成工程と、
を含む地図情報生成方法。
【請求項１１】
請求項１０に記載の地図情報生成方法であって、
前記コンテンツ選択工程は、前記判定領域内に配置された複数のアイコン画像が互いに重なる場合に、前記抽出したコンテンツ情報のうちの、前記判定領域内の位置を表す位置情報と対応付けられたコンテンツ情報の数が前記閾値数よりも大きいと判定するように構成された地図情報生成方法。
【請求項１２】
記憶装置を備える地図情報生成装置に、
位置を表す位置情報と、コンテンツを表すコンテンツ情報と、を対応付けて前記記憶装置に格納するコンテンツ格納手段と、
位置情報を含む地図情報要求を受け付ける地図情報要求受付手段と、
前記受け付けられた位置情報が表す位置を含む所定の表示領域内の位置を表す位置情報と対応付けられた前記コンテンツ情報を抽出し、当該抽出したコンテンツ情報のうちの、前記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
前記表示領域内の地図上の、前記選択されたコンテンツ情報と対応付けられた位置情報が表す位置に、当該コンテンツ情報を表すアイコン画像を配置した表示用画像を表す地図情報を生成する地図情報生成手段と、
を実現させるための地図情報生成プログラム。
【請求項１３】
請求項１２に記載の地図情報生成プログラムであって、
前記コンテンツ選択手段は、前記判定領域内に配置された複数のアイコン画像が互いに重なる場合に、前記抽出したコンテンツ情報のうちの、前記判定領域内の位置を表す位置情報と対応付けられたコンテンツ情報の数が前記閾値数よりも大きいと判定するように構成された地図情報生成プログラム。
【請求項１４】
互いに通信可能に接続されたサーバ装置及びクライアント装置を含む地図情報生成システムであって、
前記クライアント装置は、
位置を表す位置情報を含む地図情報要求を前記サーバ装置へ送信する地図情報要求送信手段と、
表示用画像を表す地図情報を前記サーバ装置から受信する地図情報受信手段と、
前記受信した地図情報が表す表示用画像を表示する画像表示手段と、
を備え、
前記サーバ装置は、
位置情報と、コンテンツを表すコンテンツ情報と、を対応付けて格納するコンテンツ格納手段と、
前記クライアント装置により送信された地図情報要求を受信し、当該受信した地図情報要求を受け付ける地図情報要求受付手段と、
前記受け付けられた位置情報が表す位置を含む所定の表示領域内の位置を表す位置情報と対応付けられた前記コンテンツ情報を抽出し、当該抽出したコンテンツ情報のうちの、前記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
前記表示領域内の地図上の、前記選択されたコンテンツ情報と対応付けられた位置情報が表す位置に、当該コンテンツ情報を表すアイコン画像を配置した表示用画像を表す地図情報を生成する地図情報生成手段と、
前記生成された地図情報を前記クライアント装置へ送信する地図情報送信手段と、
を備える地図情報生成システム。
【請求項１５】
請求項１４に記載の地図情報生成システムであって、
前記コンテンツ選択手段は、前記判定領域内に配置された複数のアイコン画像が互いに重なる場合に、前記抽出したコンテンツ情報のうちの、前記判定領域内の位置を表す位置情報と対応付けられたコンテンツ情報の数が前記閾値数よりも大きいと判定するように構成された地図情報生成システム。
【請求項１６】
請求項１４又は請求項１５に記載の地図情報生成システムであって、
前記クライアント装置は、
コンテンツ情報と位置情報とを含むコンテンツ登録要求を前記サーバ装置へ送信するコンテンツ登録要求送信手段を備え、
前記サーバ装置は、
前記クライアント装置により送信されたコンテンツ登録要求を受信し、当該受信したコンテンツ登録要求を受け付けるコンテンツ登録要求受付手段と、
コンテンツ登録要求を受け付けた時刻を表す登録要求時刻情報を取得する登録要求時刻情報取得手段と、
前記地図情報要求を受け付けた時刻を表す地図要求時刻情報を取得する地図要求時刻情報取得手段と、
を備え、
前記コンテンツ格納手段は、前記受け付けたコンテンツ登録要求に含まれる位置情報及びコンテンツ情報と、前記取得された登録時刻情報と、を対応付けて格納するように構成され、
前記コンテンツ選択手段は、前記コンテンツ情報と対応付けられた登録要求時刻情報が表す時刻と、前記取得された地図要求時刻情報が表す時刻と、が近くなるほど、当該コンテンツ情報に対して算出される優先度を高くするように構成された地図情報生成システム。
【請求項１７】
請求項１４又は請求項１５に記載の地図情報生成システムであって、
前記クライアント装置は、
ユーザを識別するユーザ識別子とコンテンツ情報と位置情報とを含むコンテンツ登録要求を前記サーバ装置へ送信するコンテンツ登録要求送信手段を備え、
前記サーバ装置は、
ユーザ識別子と、そのユーザの属性を表す属性情報と、を対応付けて格納する属性情報格納手段と、
前記クライアント装置により送信されたコンテンツ登録要求を受信し、当該受信したコンテンツ登録要求を受け付けるコンテンツ登録要求受付手段と、
を備え、
前記地図情報要求は、ユーザ識別子を含み、
前記コンテンツ格納手段は、前記受け付けられたコンテンツ登録要求に含まれる位置情報、コンテンツ情報及びユーザ識別子を対応付けて格納するように構成され、
前記コンテンツ選択手段は、前記コンテンツ情報と対応付けられたユーザ識別子と対応付けられた属性情報と、前記地図情報要求に含まれるユーザ識別子と対応付けられた属性情報と、が類似している程度が高くなるほど、当該コンテンツ情報に対して算出される優先度を高くするように構成された地図情報生成システム。
【発明の詳細な説明】
【技術分野】
【０００１】
本発明は、地図上の所定の位置にアイコン画像を配置した画像を表す地図情報を生成する地図情報生成装置に関する。
【背景技術】
【０００２】
地図上の所定の位置にアイコン画像を配置した画像を表す地図情報を生成する地図情報生成装置が知られている。この種の地図情報生成装置の一つとして、特許文献１に記載の地図情報生成装置は、店舗等を表すアイコン画像と、その店舗等の位置を表す位置情報と、その店舗等の種類を表す種類情報と、を対応付けて格納している。
【０００３】
そして、この地図情報生成装置は、ユーザにより入力された位置情報及び縮尺情報を受け付ける。次いで、地図情報生成装置は、受け付けた位置情報が表す位置を含む表示領域内の位置を表す位置情報と対応付けられたアイコン画像のうちの、受け付けた縮尺情報に応じて定められた種類情報と対応付けられたアイコン画像を、その位置に配置した画像を表す地図情報を生成する。即ち、地図情報生成装置は、種類情報毎に、アイコン画像の表示の可否を決定する。
【０００４】
ところで、上述した地図情報生成装置に関連する技術（関連技術）として、下記の技術が知られている。
特許文献２に記載のカーナビゲーションシステムは、利用者の現在位置と目的地とから移動方向を求め、求めた移動方向に存在する施設を表すアイコン画像を優先して表示する。
【０００５】
また、ウェブサイト１（［平成２０年６月２５日検索］、インターネット＜URL：http://map.gnavi.co.jp/＞）においては、位置情報を入力することにより、その位置情報が表す位置の近傍に存在する飲食店を表すアイコン画像が地図上に配置された画像が表示される。
【０００６】
更に、ウェブサイト２（［平成２０年６月２５日検索］、インターネット＜URL：http://waiwai.map.yahoo.co.jp/＞）においては、位置情報を入力することにより、その位置情報が表す位置の近傍の位置に対応付けられたコンテンツ情報を表すアイコン画像が地図上に配置された画像が表示される。このコンテンツ情報は、他のユーザが位置情報とコンテンツ（例えば、テキスト等）を表すコンテンツ情報とを入力することにより登録された情報である。
【特許文献１】特開２００６−１５５６０３号公報
【特許文献２】特開２００８−８２７３３号公報
【発明の開示】
【発明が解決しようとする課題】
【０００７】
しかしながら、上述した地図情報生成装置は、アイコン画像の表示の可否を種類情報毎にしか決定できない。従って、１つの種類情報と対応付けられたアイコン画像のうちの、ある領域内の位置と対応付けられたアイコン画像が比較的多数、存在している場合、地図情報生成装置は、この領域内にこれらのアイコン画像が配置された画像を表す地図情報を生成する。
【０００８】
従って、この地図情報が表す画像をユーザが閲覧した場合には、上記領域内にてアイコン画像が重なってしまうので、ユーザがアイコン画像を閲覧しにくいという問題があった。この問題は、上述した関連技術を用いても同様に発生する。
【０００９】
このため、本発明の目的は、上述した課題である「ユーザがアイコン画像を閲覧しにくいこと」を解決することが可能な地図情報生成装置を提供することにある。
【課題を解決するための手段】
【００１０】
かかる目的を達成するため本発明の一形態である地図情報生成装置は、
位置を表す位置情報と、コンテンツを表すコンテンツ情報と、を対応付けて格納するコンテンツ格納手段と、
位置情報を含む地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
を備える。
【００１１】
また、本発明の他の形態である地図情報生成方法は、
位置を表す位置情報と、コンテンツを表すコンテンツ情報と、を対応付けて格納するコンテンツ格納工程と、
位置情報を含む地図情報要求を受け付ける地図情報要求受付工程と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択工程と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成工程と、
を含む。
【００１２】
また、本発明の他の形態である地図情報生成プログラムは、
記憶装置を備える地図情報生成装置に、
位置を表す位置情報と、コンテンツを表すコンテンツ情報と、を対応付けて上記記憶装置に格納するコンテンツ格納手段と、
位置情報を含む地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
を実現させるためのプログラムである。
【００１３】
また、本発明の他の形態である地図情報生成システムは、
互いに通信可能に接続されたサーバ装置及びクライアント装置を含むシステムである。
【００１４】
更に、
上記クライアント装置は、
位置を表す位置情報を含む地図情報要求を上記サーバ装置へ送信する地図情報要求送信手段と、
表示用画像を表す地図情報を上記サーバ装置から受信する地図情報受信手段と、
上記受信した地図情報が表す表示用画像を表示する画像表示手段と、
を備える。
加えて、上記サーバ装置は、
位置情報と、コンテンツを表すコンテンツ情報と、を対応付けて格納するコンテンツ格納手段と、
上記クライアント装置により送信された地図情報要求を受信し、当該受信した地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
上記生成された地図情報を上記クライアント装置へ送信する地図情報送信手段と、
を備える。
【発明の効果】
【００１５】
本発明は、以上のように構成されることにより、ユーザがアイコン画像を閲覧しにくくなることを防止することができる。
【発明を実施するための最良の形態】
【００１６】
本発明の一形態である地図情報生成装置は、
位置を表す位置情報と、コンテンツを表すコンテンツ情報と、を対応付けて格納するコンテンツ格納手段と、
位置情報を含む地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
を備える。
【００１７】
これによれば、判定領域内の位置を表す位置情報と対応付けられたコンテンツ情報の数が閾値数よりも大きい場合、地図情報生成装置は、そのコンテンツ情報の一部のみを選択する。そして、地図情報生成装置は、選択したコンテンツ情報を表すアイコン画像を地図上に配置した表示用画像を表す地図情報を生成する。これにより、判定領域内に配置されるアイコン画像の数を減少させることができるので、ユーザがアイコン画像を閲覧しにくくなることを防止することができる。
【００１８】
この場合、
上記コンテンツ選択手段は、上記判定領域内に配置された複数のアイコン画像が互いに重なる場合に、上記抽出したコンテンツ情報のうちの、上記判定領域内の位置を表す位置情報と対応付けられたコンテンツ情報の数が上記閾値数よりも大きいと判定するように構成されることが好適である。
【００１９】
これによれば、判定領域内に配置された複数のアイコン画像が互いに重なる場合には、地図情報生成装置は、判定領域内の位置を表す位置情報と対応付けられたコンテンツ情報の一部のみを選択する。そして、地図情報生成装置は、選択したコンテンツ情報を表すアイコン画像を地図上に配置した表示用画像を表す地図情報を生成する。これにより、判定領域内に配置された複数のアイコン画像が互いに重なることを防止することができる。従って、ユーザがアイコン画像を閲覧しにくくなることを防止することができる。
【００２０】
この場合、
上記コンテンツ選択手段は、上記選択されるコンテンツ情報が、上記判定領域内の位置を表す位置情報と対応付けられたコンテンツ情報を上記閾値数以下の数だけ含むように構成されることが好適である。
【００２１】
これによれば、判定領域内に配置されるアイコン画像の数が過大となることを防止することができる。従って、ユーザがアイコン画像を閲覧しにくくなることを確実に防止することができる。
【００２２】
この場合、
上記コンテンツ選択手段は、上記抽出したコンテンツ情報のうちの、上記判定領域内の位置を表す位置情報と対応付けられたコンテンツ情報の数が上記閾値数以下であると判定した場合に、当該抽出したコンテンツ情報のすべてを選択するように構成されることが好適である。
【００２３】
この場合、
上記コンテンツ選択手段は、予め設定された最大表示数以下の数だけ上記コンテンツ情報を選択するように構成されることが好適である。
【００２４】
これによれば、表示用画像に含まれるアイコン画像の数が過大となることを防止することができる。従って、ユーザがアイコン画像を閲覧しにくくなることを防止することができる。
【００２５】
この場合、
上記コンテンツ選択手段は、上記コンテンツ情報に対応付けられた第１の優先度基礎情報に基づいて、上記抽出したコンテンツ情報のそれぞれに対する優先度を算出し、当該算出した優先度が高いコンテンツ情報を当該算出した優先度が低いコンテンツ情報に優先して選択するように構成されることが好適である。
【００２６】
これによれば、ユーザが有用であると認識する可能性が高いコンテンツ情報を表すアイコン画像が表示用画像に含まれるように、第１の優先度基礎情報を設定することができる。この結果、ユーザの利便性を向上させることができる。
【００２７】
この場合、
上記コンテンツ選択手段は、上記第１の優先度基礎情報と、上記地図情報要求に対応付けられた第２の優先度基礎情報と、に基づいて上記優先度を算出するように構成されることが好適である。
【００２８】
この場合、
上記地図情報生成装置は、
コンテンツ情報と位置情報とを含むコンテンツ登録要求を受け付けるコンテンツ登録要求受付手段と、
コンテンツ登録要求を受け付けた時刻を表す登録要求時刻情報を上記第１の優先度基礎情報として取得する登録要求時刻情報取得手段と、
上記地図情報要求を受け付けた時刻を表す地図要求時刻情報を上記第２の優先度基礎情報として取得する地図要求時刻情報取得手段と、
を備え、
上記コンテンツ格納手段は、上記受け付けたコンテンツ登録要求に含まれる位置情報及びコンテンツ情報と、上記取得された登録時刻情報と、を対応付けて格納するように構成され、
上記コンテンツ選択手段は、上記コンテンツ情報と対応付けられた登録要求時刻情報が表す時刻と、上記取得された地図要求時刻情報が表す時刻と、が近くなるほど、当該コンテンツ情報に対して算出される優先度を高くするように構成されることが好適である。
【００２９】
これによれば、地図情報生成装置は、地図情報要求が受け付けられた時刻と近い時刻にて受け付けられたコンテンツ情報を、地図情報要求が受け付けられた時刻と遠い時刻にて受け付けられたコンテンツ情報よりも優先して選択する。そして、地図情報生成装置は、選択したコンテンツ情報を表すアイコン画像を地図上に配置した表示用画像を表す地図情報を生成する。
【００３０】
ところで、地図情報要求を地図情報生成装置へ送ったユーザは、地図情報要求を送った時刻と比較的近い時刻にて地図情報生成装置が受け付けたコンテンツ情報をより有用な情報であると認識する可能性が高い。例えば、昼食時に地図情報要求を地図情報生成装置へ送ったユーザは、昼食時に地図情報生成装置が受け付けたコンテンツ情報をより有用な情報であると認識する可能性が高い。
【００３１】
従って、上記構成によれば、ユーザがコンテンツ情報を選択するための情報を別途入力することなく、ユーザが有用であると認識する可能性が高いコンテンツ情報を表すアイコン画像を表示用画像に含めることができる。この結果、ユーザの利便性を向上させることができる。
【００３２】
また、本発明の他の態様に係る地図情報生成装置は、
ユーザを識別するユーザ識別子と、そのユーザの属性を表す属性情報と、を対応付けて格納する属性情報格納手段と、
コンテンツ情報と位置情報とユーザ識別子とを含むコンテンツ登録要求を受け付けるコンテンツ登録要求受付手段と、
を備え、
上記地図情報要求は、ユーザ識別子を含み、
上記コンテンツ格納手段は、上記受け付けられたコンテンツ登録要求に含まれる位置情報、コンテンツ情報及びユーザ識別子を対応付けて格納するように構成され、
上記コンテンツ選択手段は、上記コンテンツ情報と対応付けられたユーザ識別子と対応付けられた上記第１の優先度基礎情報としての属性情報と、上記地図情報要求に含まれるユーザ識別子と対応付けられた上記第２の優先度基礎情報としての属性情報と、が類似している程度が高くなるほど、当該コンテンツ情報に対して算出される優先度を高くするように構成されることが好適である。
【００３３】
これによれば、地図情報生成装置は、地図情報要求を地図情報生成装置へ送ったユーザと類似する属性を有するユーザから受け付けたコンテンツ情報を、地図情報要求を地図情報生成装置へ送ったユーザと類似していない属性を有するユーザから受け付けたコンテンツ情報よりも優先して選択する。そして、地図情報生成装置は、選択したコンテンツ情報を表すアイコン画像を地図上に配置した表示用画像を表す地図情報を生成する。
【００３４】
ところで、地図情報要求を地図情報生成装置へ送ったユーザは、そのユーザの属性と類似する属性を有するユーザが送ったコンテンツ情報をより有用な情報であると認識する可能性が高い。例えば、地図情報要求を地図情報生成装置へ送ったユーザは、そのユーザと性別及び年齢等が一致するユーザが送ったコンテンツ情報をより有用な情報であると認識する可能性が高い。
【００３５】
従って、上記構成によれば、ユーザがコンテンツ情報を選択するための情報を別途入力することなく、ユーザが有用であると認識する可能性が高いコンテンツ情報を表すアイコン画像を表示用画像に含めることができる。この結果、ユーザの利便性を向上させることができる。
【００３６】
また、本発明の他の形態である地図情報生成方法は、
位置を表す位置情報と、コンテンツを表すコンテンツ情報と、を対応付けて格納するコンテンツ格納工程と、
位置情報を含む地図情報要求を受け付ける地図情報要求受付工程と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択工程と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成工程と、
を含む。
【００３７】
この場合、
上記コンテンツ選択工程は、上記判定領域内に配置された複数のアイコン画像が互いに重なる場合に、上記抽出したコンテンツ情報のうちの、上記判定領域内の位置を表す位置情報と対応付けられたコンテンツ情報の数が上記閾値数よりも大きいと判定するように構成されることが好適である。
【００３８】
また、本発明の他の形態である地図情報生成プログラムは、
記憶装置を備える地図情報生成装置に、
位置を表す位置情報と、コンテンツを表すコンテンツ情報と、を対応付けて上記記憶装置に格納するコンテンツ格納手段と、
位置情報を含む地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
を実現させるためのプログラムである。
【００３９】
この場合、
上記コンテンツ選択手段は、上記判定領域内に配置された複数のアイコン画像が互いに重なる場合に、上記抽出したコンテンツ情報のうちの、上記判定領域内の位置を表す位置情報と対応付けられたコンテンツ情報の数が上記閾値数よりも大きいと判定するように構成されることが好適である。
【００４０】
また、本発明の他の形態である地図情報生成システムは、
互いに通信可能に接続されたサーバ装置及びクライアント装置を含むシステムである。
【００４１】
更に、上記クライアント装置は、
位置を表す位置情報を含む地図情報要求を上記サーバ装置へ送信する地図情報要求送信手段と、
表示用画像を表す地図情報を上記サーバ装置から受信する地図情報受信手段と、
上記受信した地図情報が表す表示用画像を表示する画像表示手段と、
を備える。
【００４２】
加えて、上記サーバ装置は、
位置情報と、コンテンツを表すコンテンツ情報と、を対応付けて格納するコンテンツ格納手段と、
上記クライアント装置により送信された地図情報要求を受信し、当該受信した地図情報要求を受け付ける地図情報要求受付手段と、
上記受け付けられた位置情報が表す位置を含む所定の表示領域内の位置を表す位置情報と対応付けられた上記コンテンツ情報を抽出し、当該抽出したコンテンツ情報のうちの、上記表示領域の一部である所定の判定領域内の位置を表す位置情報と対応付けられたコンテンツ情報の数が予め設定された閾値数よりも大きいと判定した場合に、当該抽出したコンテンツ情報から当該判定領域内の位置を表す位置情報と対応付けられたコンテンツ情報を少なくとも１つ除いた残余のコンテンツ情報を選択するコンテンツ選択手段と、
上記表示領域内の地図上の、上記選択されたコンテンツ情報と対応付けられた位置情報が表す位置に、当該コンテンツ情報を表すアイコン画像を配置した表示用画像を表す地図情報を生成する地図情報生成手段と、
上記生成された地図情報を上記クライアント装置へ送信する地図情報送信手段と、
を備える。
【００４３】
この場合、
上記コンテンツ選択手段は、上記判定領域内に配置された複数のアイコン画像が互いに重なる場合に、上記抽出したコンテンツ情報のうちの、上記判定領域内の位置を表す位置情報と対応付けられたコンテンツ情報の数が上記閾値数よりも大きいと判定するように構成されることが好適である。
【００４４】
この場合、
上記クライアント装置は、
コンテンツ情報と位置情報とを含むコンテンツ登録要求を上記サーバ装置へ送信するコンテンツ登録要求送信手段を備え、
上記サーバ装置は、
上記クライアント装置により送信されたコンテンツ登録要求を受信し、当該受信したコンテンツ登録要求を受け付けるコンテンツ登録要求受付手段と、
コンテンツ登録要求を受け付けた時刻を表す登録要求時刻情報を取得する登録要求時刻情報取得手段と、
上記地図情報要求を受け付けた時刻を表す地図要求時刻情報を取得する地図要求時刻情報取得手段と、
を備え、
上記コンテンツ格納手段は、上記受け付けたコンテンツ登録要求に含まれる位置情報及びコンテンツ情報と、上記取得された登録時刻情報と、を対応付けて格納するように構成され、
上記コンテンツ選択手段は、上記コンテンツ情報と対応付けられた登録要求時刻情報が表す時刻と、上記取得された地図要求時刻情報が表す時刻と、が近くなるほど、当該コンテンツ情報に対して算出される優先度を高くするように構成されることが好適である。
【００４５】
また、上記地図情報生成システムの他の態様において、
上記クライアント装置は、
ユーザを識別するユーザ識別子とコンテンツ情報と位置情報とを含むコンテンツ登録要求を上記サーバ装置へ送信するコンテンツ登録要求送信手段を備え、
上記サーバ装置は、
ユーザ識別子と、そのユーザの属性を表す属性情報と、を対応付けて格納する属性情報格納手段と、
上記クライアント装置により送信されたコンテンツ登録要求を受信し、当該受信したコンテンツ登録要求を受け付けるコンテンツ登録要求受付手段と、
を備え、
上記地図情報要求は、ユーザ識別子を含み、
上記コンテンツ格納手段は、上記受け付けられたコンテンツ登録要求に含まれる位置情報、コンテンツ情報及びユーザ識別子を対応付けて格納するように構成され、
上記コンテンツ選択手段は、上記コンテンツ情報と対応付けられたユーザ識別子と対応付けられた属性情報と、上記地図情報要求に含まれるユーザ識別子と対応付けられた属性情報と、が類似している程度が高くなるほど、当該コンテンツ情報に対して算出される優先度を高くするように構成されることが好適である。
【００４６】
上述した構成を有する、地図情報生成方法、地図情報生成プログラム、又は、地図情報生成システム、の発明であっても、上記地図情報生成装置と同様の作用を有するために、上述した本発明の目的を達成することができる。
【００４７】
以下、本発明に係る、地図情報生成装置、地図情報生成方法、地図情報生成プログラム、及び、地図情報生成システム、の実施形態について図１〜図１７を参照しながら説明する。
【００４８】
＜実施形態＞
図１を参照すると、本発明の実施形態に係る地図情報生成システム１は、情報端末（クライアント装置）１００と、サーバ（サーバ装置、地図情報生成装置）２００と、を含む。情報端末１００とサーバ２００とは、互いに通信可能に接続されている。
【００４９】
情報端末１００は、ユーザ（利用者）がコンテンツを投稿するとともに、コンテンツを閲覧するために用いられる。
【００５０】
情報端末１００は、図示しない中央処理装置（ＣＰＵ；Ｃｅｎｔｒａｌ  Ｐｒｏｃｅｓｓｉｎｇ  Ｕｎｉｔ）、記憶装置（メモリ）、入力装置（キーボード）及び出力装置（ディスプレイ及びスピーカ）を備える。情報端末１００は、記憶装置に格納（記憶）されているプログラムをＣＰＵが実行することにより、後述する機能を実現するように構成されている。
【００５１】
情報端末１００の機能は、投稿コンテンツ入力部１０１と、位置情報取得部１０２と、ユーザ識別子格納部１０３と、投稿コンテンツ送信部（コンテンツ登録要求送信手段）１０４と、閲覧要求送信部（地図情報要求送信手段）１０５と、情報表示部（地図情報受信手段及び画像表示手段）１０６と、を含む。
【００５２】
投稿コンテンツ入力部１０１は、ユーザが入力装置を用いて入力したコンテンツ情報を受け付ける。コンテンツ情報は、コンテンツ（本例では、文字列）を表す情報である。
【００５３】
位置情報取得部１０２は、ＧＰＳ（Ｇｌｏｂａｌ  Ｐｏｓｉｔｉｏｎｉｎｇ  Ｓｙｓｔｅｍ）用アンテナを有する。位置情報取得部１０２は、ＧＰＳ用アンテナを介して図示しない複数のＧＰＳ衛星からのＧＰＳ信号を受信する。位置情報取得部１０２は、受信したＧＰＳ信号に基づいて情報端末１００の位置を表す位置情報を生成（取得）する。本例では、位置情報は、緯度を表す緯度情報及び経度を表す経度情報からなる。なお、位置情報は、住所を表す文字列からなる情報であってもよいし、ある領域を複数の区域に分割した場合における各区域を識別するための情報であってもよい。
【００５４】
なお、情報端末１００が携帯電話端末である場合には、位置情報取得部１０２は、基地局から位置情報を取得してもよい。また、情報端末１００が無線ＬＡＮ（Ｌｏｃａｌ  Ａｒｅａ  Ｎｅｔｗｏｒｋ）に接続されている場合には、位置情報取得部１０２は、アクセスポイントから位置情報を取得してもよい。更に、位置情報取得部１０２は、ユーザにより入力された位置情報を受け付けることにより位置情報を取得してもよい。
【００５５】
ユーザ識別子格納部１０３は、情報端末１００のユーザに固有のユーザ識別子を記憶装置に格納する。ユーザ識別子は、情報端末１００のユーザを識別するための情報である。本例では、ユーザ識別子は、情報端末１００に固有の端末識別子である。なお、ユーザ識別子は、ユーザ毎に異なる文字列であればよく、例えば、電子メールアドレス、又は、ユーザＩＤ等であってもよい。
【００５６】
投稿コンテンツ送信部１０４は、ユーザが入力装置を用いて入力したコンテンツ登録要求送信指示を受け付ける。投稿コンテンツ送信部１０４は、コンテンツ登録要求送信指示を受け付けると、投稿コンテンツ入力部１０１により受け付けられたコンテンツ情報と、位置情報取得部１０２により取得された最新の位置情報と、ユーザ識別子格納部１０３により格納されているユーザ識別子と、を含むコンテンツ登録要求をサーバ２００へ送信する。なお、投稿コンテンツ送信部１０４は、コンテンツ登録要求に含まれる各情報を互いに異なるタイミングにて送信してもよい。
【００５７】
閲覧要求送信部１０５は、ユーザが入力装置を用いて入力した閲覧要求送信指示を受け付ける。閲覧要求送信部１０５は、閲覧要求送信指示を受け付けると、位置情報取得部１０２により取得された最新の位置情報と、ユーザ識別子格納部１０３により格納されているユーザ識別子と、を含む閲覧要求（地図情報要求）をサーバ２００へ送信する。なお、閲覧要求送信部１０５は、閲覧要求に含まれる各情報を互いに異なるタイミングにて送信してもよい。
【００５８】
情報表示部１０６は、閲覧要求送信部１０５により送信された閲覧要求に応じてサーバ２００から送信された地図情報を受信し、受信した地図情報が表す表示用画像を出力装置のディスプレイに表示させる。
【００５９】
サーバ２００は、情報端末１００と同様に、図示しない中央処理装置（ＣＰＵ）、記憶装置（メモリ及びハードディスク装置（ＨＤＤ））、入力装置（キーボード）及び出力装置（ディスプレイ）を備える。サーバ２００は、記憶装置に格納されているプログラムをＣＰＵが実行することにより、後述する機能を実現するように構成されている。
【００６０】
サーバ２００の機能は、投稿コンテンツ受信部（コンテンツ登録要求受付手段）２０１と、時刻情報取得部（登録要求時刻情報取得手段、地図要求時刻情報取得手段）２０２と、投稿コンテンツ格納部（コンテンツ格納手段）２０３と、閲覧要求受信部（地図情報要求受付手段）２０４と、ユーザ属性情報格納部（属性情報格納手段）２０５と、コンテンツ表示優先度計算部（コンテンツ選択手段の一部）２０６と、表示コンテンツ選択部（コンテンツ選択手段の一部）２０７と、地図情報生成部（地図情報生成手段）２０８と、地図情報送信部（地図情報送信手段）２０９と、を含む。
【００６１】
投稿コンテンツ受信部２０１は、情報端末１００により送信されたコンテンツ登録要求を受信し、受信したコンテンツ登録要求を受け付ける。
【００６２】
時刻情報取得部２０２は、投稿コンテンツ受信部２０１によりコンテンツ登録要求が受け付けられた時刻を表す登録要求時刻情報（第１の優先度基礎情報）を取得する。なお、本例では、登録要求時刻情報は、日付を表す日付情報も含む。
【００６３】
投稿コンテンツ格納部２０３は、投稿コンテンツ受信部２０１により受け付けられたコンテンツ登録要求に含まれるコンテンツ情報、位置情報及びユーザ識別子と、時刻情報取得部２０２により取得された登録要求時刻情報と、コンテンツ情報を識別するためのコンテンツ識別子と、を対応付けてサーバ２００の記憶装置に格納する（図２を参照）。
【００６４】
閲覧要求受信部２０４は、情報端末１００により送信された閲覧要求を受信し、受信した閲覧要求を受け付ける。
【００６５】
また、時刻情報取得部２０２は、閲覧要求受信部２０４により閲覧要求が受け付けられた時刻を表す閲覧要求時刻情報（地図要求時刻情報、第２の優先度基礎情報）を取得する。なお、本例では、閲覧要求時刻情報は、日付を表す日付情報も含む。
【００６６】
ユーザ属性情報格納部２０５は、ユーザ識別子と、そのユーザ識別子により識別されるユーザの属性を表す属性情報と、を対応付けて記憶装置に予め格納する（図３を参照）。本例では、属性情報は、生年月日、性別及び居住地からなる。なお、属性情報は、生年月日、性別及び居住地の一部であってもよく、これら以外の情報（例えば、家族構成、職業、又は、嗜好情報等）を含んでいてもよい。
【００６７】
コンテンツ表示優先度計算部２０６は、閲覧要求受信部２０４により受け付けられた閲覧要求に含まれる位置情報が表す位置を含む表示領域内の位置を表す位置情報と対応付けて、投稿コンテンツ格納部２０３により格納されているコンテンツ情報を抽出する。
【００６８】
更に、コンテンツ表示優先度計算部２０６は、抽出したコンテンツ情報のそれぞれに対して優先度を算出する。
具体的には、コンテンツ表示優先度計算部２０６は、コンテンツ情報と対応付けられた登録要求時刻情報（第１の優先度基礎情報）が表す時刻と、時刻情報取得部２０２により取得された地図要求時刻情報（第２の優先度基礎情報）が表す時刻と、が近くなるほど、そのコンテンツ情報に対して算出される優先度を高くする。
【００６９】
本例では、コンテンツ表示優先度計算部２０６は、「日付又は曜日に関わらず１日における時刻同士が近い」ほど、「２つの時刻が近い」と判定する（即ち、時刻のみに基づいて２つの時刻が近いと判定する）。なお、コンテンツ表示優先度計算部２０６は、時刻情報に含まれる日付情報が表す「日付同士が近い」ほど「２つの時刻が近い」と判定してもよいし、日付情報に基づいて算出される「曜日同士が近い」ほど「２つの時刻が近い」と判定してもよい。また、コンテンツ表示優先度計算部２０６は、日付、曜日及び時刻のうちの任意の組み合わせに基づいて「２つの時刻が近い」と判定してもよい。
【００７０】
更に、コンテンツ表示優先度計算部２０６は、コンテンツ情報と対応付けられたユーザ識別子と対応付けられた属性情報（第１の優先度基礎情報）と、閲覧要求に含まれるユーザ識別子と対応付けられた属性情報（第２の優先度基礎情報）と、が類似している程度が高くなるほど、そのコンテンツ情報に対して算出される優先度を高くする。
【００７１】
表示コンテンツ選択部２０７は、閲覧要求受信部２０４により受け付けられた閲覧要求に含まれる位置情報が表す位置を含む表示領域内の位置を表す位置情報と対応付けて、投稿コンテンツ格納部２０３により格納されているコンテンツ情報を抽出する。
【００７２】
表示コンテンツ選択部２０７は、抽出したコンテンツ情報のうちの、上記表示領域の一部である判定領域内の位置を表す位置情報と対応付けられたコンテンツ情報の数（判定領域内情報数）が予め設定された閾値数よりも大きいか否かを判定する。表示コンテンツ選択部２０７は、判定領域内情報数が閾値数よりも大きいと判定した場合に、判定領域内情報数が閾値数となるように、上記抽出したコンテンツ情報から判定領域内の位置を表す位置情報と対応付けられたコンテンツ情報の一部を除いた残余のコンテンツ情報を、表示させるためのコンテンツ情報として選択する。
【００７３】
このとき、表示コンテンツ選択部２０７は、コンテンツ表示優先度計算部２０６により算出された優先度が高いコンテンツ情報を、コンテンツ表示優先度計算部２０６により算出された優先度が低いコンテンツ情報よりも優先して選択する。
【００７４】
具体的に述べると、先ず、表示コンテンツ選択部２０７は、抽出したコンテンツ情報を、コンテンツ表示優先度計算部２０６により算出された優先度が高い順に１つずつ選択する。
【００７５】
そして、表示コンテンツ選択部２０７は、選択したコンテンツ情報に対応付けられた位置情報が表す位置にそのコンテンツ情報を表すアイコン画像を、既に表示させることが決定されている他のコンテンツ情報を表すアイコン画像とともに配置した場合において、下記の第１の条件及び第２の条件の少なくとも一方が成立するとき、上記選択したコンテンツ情報を表示させないと決定し、第１の条件及び第２の条件の両方が成立しないとき、上記選択したコンテンツ情報を表示させると決定する。
【００７６】
第１の条件は、複数のアイコン画像が互いに重なるという条件である。即ち、判定領域は、既に表示させることが決定されている他のコンテンツ情報の任意の一つに対応付けられた位置情報が表す位置を含む領域であって、その位置にアイコン画像が配置されるとともにその領域内の任意の位置に他のアイコン画像が配置された場合には当該２つのアイコン画像の少なくとも一部が重なるように形成された領域である、と言うことができる。なお、この判定領域とともに用いられる上記閾値数は、１である。
【００７７】
また、第２の条件は、上記閾値数よりも多いアイコン画像が、任意の位置に中心を有し且つ予め定められた半径を有する円内の領域に存在するという条件である。即ち、判定領域は、任意の位置に中心を有し且つ予め定められた半径を有する円内の領域である、と言うことができる。なお、この判定領域とともに用いられる上記閾値数は、１以上の任意の数であって、予め定められた値である。
【００７８】
このようにして、表示コンテンツ選択部２０７は、抽出したコンテンツ情報の中から、表示させるためのコンテンツ情報を選択する。
【００７９】
地図情報生成部２０８は、閲覧要求受信部２０４により受け付けられた閲覧要求に含まれる位置情報が表す位置を含む所定の表示領域内の地図を表す基礎地図情報を、記憶装置に予め格納されている地図データに基づいて生成する。
【００８０】
更に、地図情報生成部２０８は、生成した基礎地図情報が表す地図上の、表示コンテンツ選択部２０７により表示させるために選択されたコンテンツ情報と対応付けられた位置情報が表す位置に、そのコンテンツ情報を表すアイコン画像を配置した表示用画像を表す地図情報を生成する。
【００８１】
地図情報送信部２０９は、地図情報生成部２０８により生成された地図情報を情報端末１００へ送信する。
【００８２】
次に、上記のように構成された地図情報生成システム１の作動について、図４〜図６を参照しながら説明する。
図４は、情報端末１００のユーザがコンテンツを投稿する際の情報端末１００の作動を示したフローチャートである。
【００８３】
先ず、情報端末１００は、ユーザにより入力されたコンテンツ情報を受け付ける（ステップＳ３０１）。次いで、情報端末１００は、位置情報を取得する（ステップＳ３０２）。そして、情報端末１００は、ユーザ識別子を取得する（ステップＳ３０３）。
【００８４】
次いで、情報端末１００は、ユーザによりコンテンツ登録要求送信指示が入力されると、ステップＳ３０１にて受け付けたコンテンツ情報と、ステップＳ３０２にて取得した位置情報と、ステップＳ３０３にて取得したユーザ識別子と、を含むコンテンツ登録要求をサーバ２００へ送信する（ステップＳ３０４）。
なお、ステップＳ３０１〜ステップＳ３０３の処理が実行される順序は、任意の順序であってもよい。
【００８５】
図５は、サーバ２００が情報端末１００からコンテンツ登録要求を受信する際のサーバ２００の作動を示したフローチャートである。
【００８６】
サーバ２００は、情報端末１００により送信されたコンテンツ登録要求を受信する（ステップＳ４０１）。次いで、サーバ２００は、コンテンツ登録要求を受信した時刻を表す登録要求時刻情報を取得する（ステップＳ４０２）。
【００８７】
そして、サーバ２００は、ステップＳ４０１にて受信したコンテンツ登録要求に含まれるコンテンツ情報、位置情報及びユーザ識別子と、ステップＳ４０２にて取得した登録要求時刻情報と、コンテンツ識別子と、を対応付けて記憶装置に格納する（ステップＳ４０３、コンテンツ格納工程）。
【００８８】
図６は、閲覧要求を受信したサーバ２００が地図情報を生成し、生成した地図情報を情報端末１００へ送信する際の、サーバ２００の作動を示したフローチャートである。
【００８９】
サーバ２００は、情報端末１００により送信された閲覧要求を受信する（ステップＳ５０１、地図情報要求受付工程）。次いで、サーバ２００は、閲覧要求を受信した時刻を表す地図要求時刻情報を取得する（ステップＳ５０２）。
【００９０】
そして、サーバ２００は、ステップＳ５０１にて受信した閲覧要求に含まれるユーザ識別子と対応付けて記憶装置に格納されている属性情報（性別、生年月日及び居住地）を取得する（ステップＳ５０３）。
【００９１】
次いで、サーバ２００は、ステップＳ５０１にて受信した閲覧要求に含まれる位置情報が表す位置を含む表示領域内の位置を表す位置情報と対応付けられたコンテンツ情報を、記憶装置に格納されているコンテンツ情報の中から抽出する（ステップＳ５０４、コンテンツ選択工程の一部）。
【００９２】
図７は、ステップＳ５０４の処理によって抽出されるコンテンツ情報を概念的に示した説明図である。
地図の中心に配置された円形のアイコン画像は、閲覧要求に含まれる位置情報が表す位置を示している。即ち、この閲覧要求を送信した情報端末１００のユーザは、この位置の近傍の情報を要求していると言える。
【００９３】
また、地図中の点線により囲まれた正方形の領域は、表示領域を示している。
更に、地図上に配置された複数のハート形のアイコン画像は、投稿コンテンツ格納部２０３により格納されているコンテンツ情報に対応付けられた位置情報が表す位置を表している。
従って、ステップＳ５０４の処理により、点線により囲まれた領域（表示領域）の内部に配置されたアイコン画像に対応するコンテンツ情報のみが抽出される。
【００９４】
そして、サーバ２００は、ステップＳ５０４にて抽出したコンテンツ情報のそれぞれに対して、時刻情報に基づく時刻優先度を算出する（ステップＳ５０５、コンテンツ選択工程の一部）。具体的には、サーバ２００は、コンテンツ情報と対応付けられた登録要求時刻情報が表す時刻と、ステップＳ５０２にて取得した地図要求時刻情報が表す時刻と、を比較し、両者が近いほど高い優先度を与えるように、時刻優先度を算出する。
【００９５】
なお、サーバ２００は、時刻情報に含まれる日付情報に基づいて時刻優先度を算出してもよいし、日付情報に基づいて求められる曜日を表す曜日情報に基づいて時刻優先度を算出してもよい。また、サーバ２００は、時刻情報、日付情報及び曜日情報の任意の組み合わせに基づいて時刻優先度を算出してもよい。この場合、サーバ２００は、各情報に対する重み付けを行って時刻優先度を算出してもよい。
【００９６】
次いで、サーバ２００は、ステップＳ５０４にて抽出したコンテンツ情報のそれぞれに対して、属性情報に基づく属性優先度を算出する（ステップＳ５０６、コンテンツ選択工程の一部）。具体的には、サーバ２００は、コンテンツ情報と対応付けられたユーザ識別子と対応付けられた属性情報（即ち、そのコンテンツ情報を入力したユーザの属性情報）と、ステップＳ５０３にて取得した属性情報と、を比較し、両者が類似している程度が高いほど高い優先度を与えるように、属性優先度を算出する。
【００９７】
本例では、サーバ２００は、属性情報に含まれる情報毎に属性優先度を算出する。なお、サーバ２００は、属性情報に含まれるすべての情報に基づいて１つの属性優先度を算出してもよい。この場合、サーバ２００は、属性情報に含まれる情報のうちの一致している情報の数を、属性情報が類似している程度として求めてもよい。
【００９８】
そして、サーバ２００は、ステップＳ５０５にて算出した時刻優先度と、ステップＳ５０６にて算出した属性優先度と、を予め設定された比に従って加重平均した値を優先度として算出する（ステップＳ５０７、コンテンツ選択工程の一部）。本例では、サーバ２００は、属性情報に含まれる情報毎の属性優先度と、時刻優先度と、を加えた値を優先度として算出する。
【００９９】
図８は、ステップＳ５０５〜ステップＳ５０７の処理により算出される優先度を示した図である。図８に示したように、ステップＳ５０５及びステップＳ５０６の処理により、コンテンツ情報毎に、時刻優先度、性別に基づく属性優先度、生年月日に基づく属性優先度、及び、居住地に基づく属性優先度、が算出される。更に、ステップＳ５０７の処理により、属性優先度及び時刻優先度から優先度が算出される。図８に示した例においては、優先度が高い順にコンテンツ識別子を並べると、コンテンツ識別子は、３、４、５、６、１、２の順に並ぶ。
【０１００】
次いで、サーバ２００は、ステップＳ５０４にて抽出したコンテンツ情報の中から、ステップＳ５０７にて算出した優先度と、コンテンツ情報に対応付けられた位置情報が表す位置と、に基づいて、表示させるためのコンテンツ情報を選択する（ステップＳ５０８、コンテンツ選択工程の一部）。なお、この処理の詳細については後述する。
【０１０１】
そして、サーバ２００は、上記表示領域内の地図（画像）上の、ステップＳ５０８にて選択したコンテンツ情報と対応付けられた位置情報が表す位置に、そのコンテンツ情報を表すアイコン画像を配置した表示用画像（ユーザに閲覧させるための画像）を表す地図情報を生成する（ステップＳ５０９、地図情報生成工程）。
【０１０２】
次いで、サーバ２００は、ステップＳ５０９にて生成した地図情報を情報端末１００へ送信する（ステップＳ５１０）。これにより、情報端末１００は、地図情報を受信し、受信した地図情報が表す表示用画像を出力装置のディスプレイに表示させる。
【０１０３】
図９は、ステップＳ５０８の処理の詳細を示したフローチャートである。
先ず、サーバ２００は、ステップＳ５０４にて抽出したコンテンツ情報のうちの未だ選択していないコンテンツ情報の中から、ステップＳ５０７にて算出した優先度が最も高いコンテンツ情報を選択する（ステップＳ６０１）。従って、図８に示した例の場合、コンテンツ識別子が３であるコンテンツ情報が選択される。
【０１０４】
次いで、サーバ２００は、ステップＳ６０１にて選択したコンテンツ情報に対応付けられた位置情報が表す位置にそのコンテンツ情報を表すアイコン画像を、既に表示させることが決定されている他のコンテンツ情報を表すアイコン画像とともに配置した場合において、それらのアイコン画像が互いに重なるか否かを判定する。このとき、サーバ２００は、アイコン画像が配置される位置と、アイコン画像の形状と、に基づいて、この判定を行う。なお、サーバ２００は、アイコン画像が配置される位置（即ち、アイコン画像間の距離）のみに基づいて判定を行ってもよい。
【０１０５】
サーバ２００は、上記アイコン画像が互いに重なると判定した場合には、ステップＳ６０２にて「Ｙｅｓ」と判定してステップＳ６０１へ戻り、ステップＳ６０１以降の処理を実行する。
【０１０６】
図１０は、アイコン画像が互いに重なる例を示した説明図である。なお、点線により囲まれた領域は、本明細書において判定領域とも呼ばれる。このように、アイコン画像が互いに重なる場合には、ユーザがアイコン画像を閲覧しにくくなるため、サーバ２００は、ステップＳ６０１にて選択したコンテンツ情報を、表示させるためのコンテンツ情報として選択しない。これにより、判定領域内に配置された複数のアイコン画像が互いに重なることを防止することができる。従って、ユーザがアイコン画像を閲覧しにくくなることを防止することができる。
【０１０７】
一方、サーバ２００は、上記アイコン画像が互いに重ならないと判定した場合には、ステップＳ６０２にて「Ｎｏ」と判定してステップＳ６０３へ進む。そして、サーバ２００は、ステップＳ６０１にて選択したコンテンツ情報に対応付けられた位置情報が表す位置にそのコンテンツ情報を表すアイコン画像を、既に表示させることが決定されている他のコンテンツ情報を表すアイコン画像とともに配置した場合において、予め設定された閾値数（本例では、３つ）よりも多いアイコン画像が、任意の位置に中心を有し且つ予め定められた半径を有する円内の領域（円形領域、判定領域）内に存在するか否かを判定する。
【０１０８】
サーバ２００は、閾値数よりも多いアイコン画像が判定領域内に存在する（即ち、閾値数よりも多いアイコン画像が近傍に存在する）と判定した場合には、ステップＳ６０３にて「Ｙｅｓ」と判定してステップＳ６０１へ戻り、ステップＳ６０１以降の処理を実行する。
【０１０９】
図１１は、閾値数よりも多いアイコン画像が円形領域内に存在する例を示した説明図である。なお、点線により囲まれた領域は、本明細書において判定領域とも呼ばれる。このように、閾値数よりも多いアイコン画像が判定領域内に存在する場合には、ユーザがアイコン画像を閲覧しにくくなるため、サーバ２００は、ステップＳ６０１にて選択したコンテンツ情報を、表示させるためのコンテンツ情報として選択しない。これによれば、判定領域内に配置されるアイコン画像の数が過大となることを防止することができる。従って、ユーザがアイコン画像を閲覧しにくくなることを確実に防止することができる。
【０１１０】
一方、サーバ２００は、上記閾値数よりも多いアイコン画像が判定領域内に存在しないと判定した場合には、ステップＳ６０３にて「Ｎｏ」と判定してステップＳ６０４へ進む。そして、サーバ２００は、ステップＳ６０１にて選択したコンテンツ情報を、表示させるためのコンテンツ情報として決定（選択）する。
【０１１１】
次いで、サーバ２００は、ステップＳ６０５に進み、表示させるためのコンテンツ情報として選択されたコンテンツ情報の数（表示選択数）が、予め設定された最大表示数以上であるか否かを判定する。
【０１１２】
サーバ２００は、表示選択数が最大表示数以上であると判定した場合には、ステップＳ６０５にて「Ｙｅｓ」と判定して、この処理（ステップＳ５０８の処理）を終了する。一方、サーバ２００は、表示選択数が最大表示数よりも少ないと判定した場合には、ステップＳ６０５にて「Ｎｏ」と判定してステップＳ６０１へ戻り、ステップＳ６０１以降の処理を実行する。これによれば、表示用画像に含まれるアイコン画像の数が過大となることを防止することができる。従って、ユーザがアイコン画像を閲覧しにくくなることを防止することができる。
【０１１３】
なお、サーバ２００は、ステップＳ６０５にて「Ｙｅｓ」と判定する前に、ステップＳ６０１にて選択するコンテンツ情報が存在しなくなった場合にも、この処理（ステップＳ５０８の処理）を終了する。なお、サーバ２００は、ステップＳ６０２及びステップＳ６０３のいずれか一方のみの処理を実行するように構成されていてもよい。
【０１１４】
図１２は、ステップＳ６０１〜ステップＳ６０５の処理を実行することによる効果を概念的に示した説明図である。
図１２の（Ａ）は、従来のサーバ（ステップＳ６０１〜ステップＳ６０５の処理を実行しないサーバ）が生成する地図情報が表す表示用画像を示している。この表示用画像においては、複数のアイコン画像が互いに重なっているとともに、比較的狭い領域に過度に多くのアイコン画像が配置されている。従って、ユーザは、アイコン画像を閲覧しにくい。
【０１１５】
一方、図１２の（Ｂ）は、本発明に係るサーバ２００（ステップＳ６０１〜ステップＳ６０５の処理を実行するサーバ）が生成する地図情報が表す表示用画像を示している。この表示用画像においては、図１２の（Ａ）に示した表示用画像に配置されたアイコン画像の数と同数のアイコン画像が配置されている。しかしながら、この表示用画像においては、互いに重なっているアイコン画像が存在しない。更に、比較的狭い領域に過度に多くのアイコン画像が配置されてもいない。従って、ユーザは、アイコン画像を閲覧しやすい。
【０１１６】
以上、説明したように、本発明による地図情報生成システムの実施形態によれば、判定領域内の位置を表す位置情報と対応付けられたコンテンツ情報の数が閾値数よりも大きい場合、サーバ２００は、そのコンテンツ情報の一部のみを選択する。そして、サーバ２００は、選択したコンテンツ情報を表すアイコン画像を地図上に配置した表示用画像を表す地図情報を生成し、生成した地図情報を情報端末１００へ送信する。
【０１１７】
そして、情報端末１００は、受信した地図情報を表す表示用画像をディスプレイに表示させる。これにより、判定領域内に配置されるアイコン画像の数を減少させることができるので、ユーザがアイコン画像を閲覧しにくくなることを防止することができる。
【０１１８】
更に、上記実施形態によれば、サーバ２００は、閲覧要求（地図情報要求）が受け付けられた時刻と近い時刻にて受け付けられたコンテンツ情報を、閲覧要求が受け付けられた時刻と遠い時刻にて受け付けられたコンテンツ情報よりも優先して、表示させるためのコンテンツ情報として選択する。そして、サーバ２００は、選択したコンテンツ情報を表すアイコン画像を地図上に配置した表示用画像を表す地図情報を生成する。
【０１１９】
ところで、閲覧要求をサーバ２００へ送ったユーザは、閲覧要求を送った時刻と比較的近い時刻にてサーバ２００が受け付けたコンテンツ情報をより有用な情報であると認識する可能性が高い。例えば、昼食時に閲覧要求をサーバ２００へ送ったユーザは、昼食時にサーバ２００が受け付けたコンテンツ情報をより有用な情報であると認識する可能性が高い。
【０１２０】
従って、上記実施形態によれば、ユーザがコンテンツ情報を選択するための情報を別途入力することなく、ユーザが有用であると認識する可能性が高いコンテンツ情報を表すアイコン画像を表示用画像に含めることができる。この結果、ユーザの利便性を向上させることができる。
【０１２１】
加えて、上記実施形態によれば、サーバ２００は、閲覧要求をサーバ２００へ送ったユーザと類似する属性を有するユーザから受け付けたコンテンツ情報を、閲覧要求をサーバ２００へ送ったユーザと類似していない属性を有するユーザから受け付けたコンテンツ情報よりも優先して、表示させるためのコンテンツ情報として選択する。そして、サーバ２００は、選択したコンテンツ情報を表すアイコン画像を地図上に配置した表示用画像を表す地図情報を生成する。
【０１２２】
ところで、閲覧要求をサーバ２００へ送ったユーザは、そのユーザの属性と類似する属性を有するユーザが送ったコンテンツ情報をより有用な情報であると認識する可能性が高い。例えば、閲覧要求をサーバ２００へ送ったユーザは、そのユーザと性別及び年齢等が一致するユーザが送ったコンテンツ情報をより有用な情報であると認識する可能性が高い。
【０１２３】
従って、上記実施形態によれば、ユーザがコンテンツ情報を選択するための情報を別途入力することなく、ユーザが有用であると認識する可能性が高いコンテンツ情報を表すアイコン画像を表示用画像に含めることができる。この結果、ユーザの利便性を向上させることができる。
【０１２４】
なお、本発明は上記実施形態に限定されることはなく、本発明の範囲内において種々の変形例を採用することができる。例えば、上記実施形態において、情報端末１００は、ユーザがコンテンツを投稿するための機能と、ユーザがコンテンツ（表示用画像）を閲覧するための機能と、の両方を有していた。ところで、上記実施形態の変形例において、地図情報生成システム１は、図１３に示したように、情報端末１００に代えて、情報端末１００Ａ及び情報端末１００Ｂを含んでいてもよい。
【０１２５】
情報端末１００Ａは、情報端末１００の機能のうちの、投稿コンテンツ入力部１０１、位置情報取得部１０２、ユーザ識別子格納部１０３及び投稿コンテンツ送信部１０４を有する。一方、情報端末１００Ｂは、情報端末１００の機能のうちの、位置情報取得部１０２、ユーザ識別子格納部１０３、閲覧要求送信部１０５及び情報表示部１０６を有する。
【０１２６】
更に、この場合、地図情報生成システム１は、図１４に示したように、情報端末１００Ａを含んでいなくてもよい。この場合、サーバ２００の機能は、投稿コンテンツ受信部２０１を含まないことが好適である。この場合、サーバ２００は、コンテンツ情報を予め記憶装置に格納していることが好適である。
【０１２７】
また、上記実施形態において、情報端末１００は、情報端末１００の位置を表す位置情報を取得する機能を有していた。ところで、上記実施形態の他の変形例において、サーバ２００の機能は、図１５に示したように、情報端末１００の位置を表す位置情報を取得する位置情報取得部２１０を含んでいてもよい。この場合、情報端末１００の機能は、位置情報取得部１０２を含まないことが好適である。
【０１２８】
また、上記実施形態の他の変形例において、地図情報生成システム１は、図１６に示したように、位置情報取得サーバ３００を含んでいてもよい。位置情報取得サーバ３００の機能は、情報端末１００の位置を表す位置情報を取得するとともに取得した位置情報をサーバ２００へ送信する位置情報取得部３０１を含む。この場合、情報端末１００の機能は、位置情報取得部１０２を含まないことが好適である。
【０１２９】
更に、上記実施形態の他の変形例において、サーバ２００は、優先度に基づくことなく、表示させるためのコンテンツ情報を選択するように構成されていてもよい。この場合、サーバ２００の機能は、図１７に示したように、時刻情報取得部２０２、ユーザ属性情報格納部２０５及びコンテンツ表示優先度計算部２０６を含まないことが好適である。
【０１３０】
更に、上記実施形態において、サーバ２００は、表示させるために選択するコンテンツ情報の数に上限（最大表示数）を設けていたが、上限を設けないように構成されていてもよい。なお、この場合において、サーバ２００が抽出したコンテンツ情報のうちの、判定領域内の位置を表す位置情報と対応付けられたコンテンツ情報の数が閾値数以下であるとき、サーバ２００は、抽出したコンテンツ情報のすべてを、表示させるためのコンテンツ情報として選択する。
【０１３１】
また、上記実施形態における地図は、道路を表す図であったが、建物の内部を表す図（フロアマップ）であってもよいし、電気回路を表す図（回路配置図）であってもよい。更に、上記実施形態におけるアイコン画像は、図形のみから構成されていたが、コンテンツ情報が表す文字列（コンテンツ）の一部又は全部を含んでいてもよい。
【０１３２】
また、上記実施形態の他の変形例において、サーバ２００は、コンテンツ情報とコンテンツの種類を表す種類情報（第１の優先度基礎情報）とを対応付けて記憶装置に格納するとともに、コンテンツ情報に対応付けられた種類情報に基づいて、抽出したコンテンツ情報のそれぞれに対する優先度を算出し、当該算出した優先度が高いコンテンツ情報を当該算出した優先度が低いコンテンツ情報に優先して選択するように構成されていてもよい。
【０１３３】
これによれば、ユーザが有用であると認識する可能性が高いコンテンツ情報を表すアイコン画像が表示用画像に含まれるように、種類情報を設定することができる。この結果、ユーザの利便性を向上させることができる。
【産業上の利用可能性】
【０１３４】
本発明は、インターネットを介して通信可能に接続された携帯電話端末とウェブサーバとを含む地図情報提供システムに適用可能である。この場合、携帯電話端末のユーザは、携帯電話端末に搭載されたウェブブラウザを利用して情報を入力するとともに表示用画像を閲覧することができる。
【図面の簡単な説明】
【０１３５】
【図１】本発明の実施形態に係る地図情報生成システムの機能の概略を表すブロック図である。
【図２】サーバの記憶装置に格納されている、ユーザ識別子、位置情報、登録要求時刻情報及びコンテンツ情報からなるデータを示したテーブルである。
【図３】サーバの記憶装置に格納されている、ユーザ識別子、生年月日、性別及び居住地からなるデータを示したテーブルである。
【図４】情報端末のユーザがコンテンツを投稿する際の情報端末の作動を示したフローチャートである。
【図５】サーバが情報端末からコンテンツ登録要求を受信する際のサーバの作動を示したフローチャートである。
【図６】閲覧要求を受信したサーバが地図情報を生成し、生成した地図情報を情報端末へ送信する際の、サーバの作動を示したフローチャートである。
【図７】図６に示したステップＳ５０４の処理によって抽出されるコンテンツ情報を概念的に示した説明図である。
【図８】図６に示したステップＳ５０５〜ステップＳ５０７の処理により算出される優先度を示した図である。
【図９】図６に示したステップＳ５０８の処理の詳細を示したフローチャートである。
【図１０】アイコン画像が互いに重なる例を示した説明図である。
【図１１】閾値数よりも多いアイコン画像が円形領域内に存在する例を示した説明図である。
【図１２】図９に示したステップＳ６０１〜ステップＳ６０５の処理を実行することによる効果を概念的に示した説明図である。
【図１３】本発明の実施形態の変形例に係る地図情報生成システムの機能の概略を表すブロック図である。
【図１４】本発明の実施形態の他の変形例に係る地図情報生成システムの機能の概略を表すブロック図である。
【図１５】本発明の実施形態の他の変形例に係る地図情報生成システムの機能の概略を表すブロック図である。
【図１６】本発明の実施形態の他の変形例に係る地図情報生成システムの機能の概略を表すブロック図である。
【図１７】本発明の実施形態の他の変形例に係る地図情報生成システムの機能の概略を表すブロック図である。
【符号の説明】
【０１３６】
１        地図情報生成システム
１００，１００Ａ，１００Ｂ    情報端末
１０１    投稿コンテンツ入力部
１０２    位置情報取得部
１０３    ユーザ識別子格納部
１０４    投稿コンテンツ送信部
１０５    閲覧要求送信部
１０６    情報表示部
２００    サーバ
２０１    投稿コンテンツ受信部
２０２    時刻情報取得部
２０３    投稿コンテンツ格納部
２０４    閲覧要求受信部
２０５    ユーザ属性情報格納部
２０６    コンテンツ表示優先度計算部
２０７    表示コンテンツ選択部
２０８    地図情報生成部
２０９    地図情報送信部
２１０    位置情報取得部
３００    位置情報取得サーバ
３０１    位置情報取得部
【図１】
2010015013.tif 000003
【図２】
2010015013.tif 000004
【図３】
2010015013.tif 000005
【図４】
2010015013.tif 000006
【図５】
2010015013.tif 000007
【図６】
2010015013.tif 000008
【図７】
2010015013.tif 000009
【図８】
2010015013.tif 000010
【図９】
2010015013.tif 000011
【図１０】
2010015013.tif 000012
【図１１】
2010015013.tif 000013
【図１２】
2010015013.tif 000014
【図１３】
2010015013.tif 000015
【図１４】
2010015013.tif 000016
【図１５】
2010015013.tif 000017
【図１６】
2010015013.tif 000018
【図１７】
2010015013.tif 000019